(57)【要約】【課題】パンの焼上げを簡易的に行うための適切な制御モードを備えた電気炊飯器を提供する。【解決手段】内釜がセットされているか否かを検出するための内釜検出回路と、内釜の温度を検出するための温度センサーと、温度センサーの検出温度にしたがって内釜の加熱手段の通電を制御する制御手段と、炊飯モード又はパン焼き上げモードを選択するキー及び炊飯モード又はパン焼き上げモードの実行を開始させるキーを含む操作部とを備え、制御手段は、炊飯モードにおける保温工程では内釜検出回路の内釜検出信号が無くなったときに保温工程を終了して待機状態に戻す内釜検出処理を実行し、かつ、パン焼き上げモードにおけるパン保温工程では所定時間経過するまで上記の内釜検出処理を実行しない。【選択図】  図９
2004275478.tif 000002
【特許請求の範囲】
【請求項１】
内釜がセットされているか否かを検出するための内釜検出回路と、内釜の温度を検出するための温度センサーと、該温度センサーの検出温度にしたがって前記内釜の加熱手段の通電を制御する制御手段と、炊飯モード又はパン焼き上げモードを選択する選択手段及び炊飯モード又はパン焼き上げモードの実行を開始させる開始手段を含む操作部とを備え、
前記制御手段は、前記炊飯モードにおける保温工程では前記内釜検出回路の内釜検出信号が無くなったときに前記保温工程を終了して待機状態に戻す内釜検出処理を実行し、かつ、前記パン焼き上げモードにおける保温工程では前記内釜検出処理を実行しないことを特徴とするパン焼き上げモード付電気炊飯器。
【請求項２】
前記制御手段は、前記パン焼き上げモードにおけるパン保温工程では前記内釜検出処理を保温工程開始から所定時間経過するまで実行しないことを特徴とする
請求項１記載のパン焼き上げモード付電気炊飯器。
【請求項３】
内釜の温度を検出するための温度センサーと、該温度センサーの検出温度にしたがって前記内釜の加熱手段の通電を制御する制御手段と、炊飯モード又はパン焼き上げモードを選択する選択手段及び炊飯モード又はパン焼き上げモードの実行を開始させる開始手段を含む操作部とを備え、
前記制御手段は、前記炊飯モードの開始時に、前記検出温度が所定温度より高ければ前記加熱手段の通電を行わないで前記内釜の冷却を待つ初期温度チェック処理を実行し、かつ、前記パン焼き上げモードの開始時又は再加熱の開始時に、前記初期温度チェック処理を実行しないで直ちに前記加熱手段の通電制御を行うことを特徴とするパン焼き上げモード付電気炊飯器。
【請求項４】
前記制御手段は、前記パン焼き上げモードの終了に伴って開始するパン保温工程において前記開始手段の操作によって追加過熱を開始したときに、前記初期温度チェック処理を実行しないで直ちに前記加熱手段の通電制御を行うことを特徴とする請求項３記載のパン焼き上げモード付電気炊飯器。
【請求項５】
前記制御手段は、前記パン焼き上げモードの終了に伴って開始するパン保温工程において、追加加熱時間の設定入力と追加加熱の実行開始を受け付けることを特徴とする請求項３又は４記載のパン焼き上げモード付電気炊飯器。
【発明の詳細な説明】
【０００１】
【発明の属する技術分野】
本発明は、パン生地の発酵を行うためのパン発酵モードとパン焼き上げモードとを備えた電気炊飯器に関し、特にパン焼上げモードにおける制御方法に関する。
【０００２】
【従来の技術】
パンを材料から練り上げた後に発酵し、焼き上げまでを行うことができる炊飯器と兼用の調理器が特許文献１に開示されている。この調理器は、ヒータによって加熱される加熱室と、加熱室の内部に着脱自在に装着される容器と、加熱室の内部で熱風を循環させるためのファンとを備えている。容器は、パン生地の練り合わせ及び発酵に使用されると共に、焼き型にもなる。更に、炊飯ふたを容器に被せることによって、炊飯兼用の容器となる。
【０００３】
この従来例の調理器は、家庭用自動パン焼き器と同様に、パン生地を材料から練り上げて発酵させ、焼き上げる工程を自動的に実行する。パンの焼き上げは、熱風循環式の加熱によって容器を均一に加熱する。また、炊飯においても、通常の電気炊飯器が内釜をヒータによって直接加熱するのと異なり、熱風循環式加熱によって容器及び炊飯ふたを均一に加熱する。
【０００４】
【特許文献１】
特許第２７１９８０２号公報
【０００５】
【発明が解決しようとする課題】
上記の従来例の調理器は、１台で炊飯器とパン焼き器の機能を兼ね備えている点で優れており便利であるが、熱風循環式の加熱を行うために通常の電気炊飯器に比べて構造が複雑で大きくなる。さらに、内部の制御回路を構成する電子部品を熱風から守るための構造も必要である。それゆえ、このような調理器は通常の電気炊飯器や電気パン焼き器に比べてかなり高価なものとなる。
【０００６】
他方、発明者らは、内釜を電熱ヒータ又は電磁誘導加熱（ＩＨ）によって加熱する通常の電気炊飯器を用いて、パン生地の発酵及び焼き上げを行う実験を繰り返した。その結果、比較的簡単な制御モードを付加することにより、パン生地の発酵及び焼き上げを簡易的に行うことができることを見出した。
【０００７】
本発明は、上記のような実験結果に基づいて為されたものであり、パンの焼上げを簡易的に行うための適切な制御モードを備えた電気炊飯器を提供することを目的とする。
【０００８】
【課題を解決するための手段】
本発明によるパン焼き上げモード付電気炊飯器の第１の構成は、内釜がセットされているか否かを検出するための内釜検出回路と、内釜の温度を検出するための温度センサーと、該温度センサーの検出温度にしたがって前記内釜の加熱手段の通電を制御する制御手段と、炊飯モード又はパン焼き上げモードを選択する選択手段及び炊飯モード又はパン焼き上げモードの実行を開始させる開始手段を含む操作部とを備え、前記制御手段は、前記炊飯モードにおける保温工程では前記内釜検出回路の内釜検出信号が無くなったときに前記保温工程を終了して待機状態に戻す内釜検出処理を実行し、かつ、前記パン焼き上げモードにおけるパン保温工程では前記内釜検出処理を実行しないことを特徴とする。
【０００９】
このような構成によれば、パンの焼上げを簡易的に行うための適切な制御モード（パン焼上げモード）を備えた電気炊飯器を提供することができる。炊飯モードにおける保温工程では内釜検出回路の内釜検出信号が無くなったときに保温工程を終了して待機状態に戻す内釜検出処理を実行し、かつ、パン焼き上げモードにおける保温工程では上記の内釜検出処理を実行しない。これにより、パン保温工程で内釜を取り出して焼き具合を確認し、パンを裏返して追加加熱を行うことが簡単な操作で可能になる。
【００１０】
好ましい実施形態において、制御手段は、前記パン焼き上げモードにおけるパン保温工程では前記内釜検出処理を保温工程開始から所定時間経過するまで実行しない。つまり、無制限に内釜検出処理を行わないのではなく、保温工程開始から所定時間が経過すれば内釜検出処理を行う。これにより、追加加熱を行わない場合に、例えば取消キーを押下しなくても内釜を取り出してそのままにしておけば、所定時間の経過に伴って自動的に待機状態に戻すことができる。
【００１１】
本発明によるパン焼き上げモード付電気炊飯器の第２の構成は、内釜の温度を検出するための温度センサーと、該温度センサーの検出温度にしたがって前記内釜の加熱手段の通電を制御する制御手段と、炊飯モード又はパン焼き上げモードを選択する選択手段及び炊飯モード又はパン焼き上げモードの実行を開始させる開始手段を含む操作部とを備え、前記制御手段は、前記炊飯モードの開始時に、前記検出温度が所定温度より高ければ前記加熱手段の通電を行わないで前記内釜の冷却を待つ初期温度チェック処理を実行し、かつ、前記パン焼き上げモードの開始時又は再加熱の開始時に、前記初期温度チェック処理を実行しないで直ちに前記加熱手段の通電制御を行うことを特徴とする。
【００１２】
このような構成によれば、パンの焼上げを簡易的に行うための適切な制御モード（パン焼上げモード）を備えた電気炊飯器を提供することができる。パン焼き上げモードの開始時は、初期温度チェック処理を実行しないで直ちに加熱手段の通電制御を行うので、パンの焼上げ工程が完了した直後の内釜が高温の状態であっても、追加加熱を連続して行うことができる。
【００１３】
好ましい実施形態において、前記制御手段は、前記パン焼き上げモードの終了に伴って開始するパン保温工程において前記開始手段の操作によって追加過熱を開始したときに、前記初期温度チェック処理を実行しないで直ちに前記加熱手段の通電制御を行う。
【００１４】
別の好ましい実施形態において、制御手段は、パン焼き上げモードの終了に伴って開始するパン保温工程において、追加加熱時間の設定入力と追加加熱の実行開始を受け付ける。このような構成によれば、パン保温工程において、必要最小限のキー操作によって追加加熱を実行させることができる。
【００１５】
【発明の実施の形態】
以下、図面を参照しながら本発明の実施形態を説明する。
【００１６】
図１は、本発明の実施形態に係る電気炊飯器の側面から見た断面図である。この電気炊飯器は、パン生地の発酵を行うパン発酵モードとパンの焼上げを行うパン焼上げモードとを備えている。この電気炊飯器は、合成樹脂製のケース本体１１とその内部空間に着脱自在に装着された金属製の内釜１２、そしてケース本体１１の上部開口を開閉するようにケース本体１１の後部（図１では右側）に軸１３で枢支された蓋部材１４を備えている。蓋部材１４の内側には内釜１２の上部開口を密封する内蓋１５が設けられている。
【００１７】
内釜１２は、ステンレス鋼板のような磁性体金属又は磁性体を含有する金属で作られている。内釜１２の底部付近には、誘導加熱（ＩＨ）によって内釜１２を加熱するＩＨコイル（加熱手段に相当する）１６が設けられている。ＩＨコイル１６が交流電流で駆動されると、ＩＨコイル１６が発生する交番磁界の磁束が内釜１２に渦電流を発生させる。内釜１２は、この渦電流と自らの電気抵抗によって発熱する。
【００１８】
また、内釜１２の保持部材１７の側部には保温用の側面ヒータ１８がリング状に設けられている。更に、蓋部材１４の内蓋１５を熱伝導によって加熱し結露を防止するための上部ヒータ１９がリング状に設けられている。また、内釜１２の底部の中心部には、内釜１２の温度を検出するための温度センサー２０が設けられている。
【００１９】
電気炊飯器の前面（図１では左側）の上部には、操作部及び表示部を含む操作パネル２１が設けられ、その内側に第１制御基板２２ａが設けられている。また、第１制御基板２２ａの下方の空間に第２制御基板２２ｂが設けられている。これらの制御基板２２（２２ａ＋２２ｂ）には、マイクロプロセッサや温度検出回路、ブザー、電源回路等が搭載されている。また、主として制御基板２２ａ及び２２ｂを冷却するための電動ファン２３が設けられている。この電動ファン２３は、後述するように、パン発酵モードの開始時に内釜温度が高い場合に強制冷却を行う電動ファンとしても機能する。
【００２０】
図２は、制御基板を含む電気炊飯器の電気回路の構成を示すブロック図である。この図に示すように、制御手段としてのマイクロコンピュータ（ＭＰＵ）２９と、その電源・リセット回路２５が設けられている。温度センサー２０の検出信号は温度検出回路２６を経てマイクロコンピュータ２９に入力される。また、後述する各種の押釦スイッチ（キー）を含む操作部２７の信号がマイクロコンピュータ２９に入力されている。また、内釜検出回路２８が設けられ、その検出信号がマイクロコンピュータ２９に入力されている。内釜検出回路２８は、下記のＩＨ駆動回路２４のフィードバック電圧から電磁誘導負荷である内釜１２の有無を検出するための回路である。
【００２１】
前述のＩＨコイル１６は、マイクロコンピュータ２９によってＩＨ駆動回路２４を介して駆動制御される。ＩＨ駆動回路２４は、ＩＧＢＴのようなスイッチング素子、ダイオード、共振用コンデンサ等を用いて構成されており、ＩＨコイル１６に所定の高周波電流を供給する。側面ヒータ１８及び上部ヒータ１９は、マイクロコンピュータ２９によってヒータ駆動回路３０を介してオン・オフ制御される。前述の電動ファン２３は、ファン駆動回路３３を介してマイクロコンピュータ２９によって制御される。
【００２２】
また、炊き上がりの報知やキー操作音等のためのブザー３１が設けられ、これもマイクロコンピュータ２９によって制御される。このブザー３１は、後述するパン発酵モードにおいて検出温度が所定温度より高いときにユーザに報知するための報知手段としても機能する。また、操作パネル２１に設けられた表示部３２が液晶表示器によって構成され、その表示内容がマイクロコンピュータ２９によって設定される。
【００２３】
図３は、電気炊飯器の操作パネルの構成例を示す図である。操作パネル２１は操作部２７と表示部３２からなる。操作部２７は、炊飯キー３７、予約キー３８、メニューキー３９、時・分キー４０、発酵・焼上げキー４１、取消キー４２及び保温キー４３を備えている。炊飯キー３７を押すと炊飯が開始し、炊飯インジケータ（ＬＥＤ）３７ａが点灯する。また、炊飯キー３７はパン発酵モード及びパン焼上げモードを開始させる際にも押下される。つまり、炊飯キー３７は各調理モードの実行を開始させる開始手段に相当する。
【００２４】
予約キー３８は炊飯予約の設定に使用される。この予約キー３８を押すと、表示部３２の時刻表示部（７セグメント表示部）４５と時・分キー４０を用いて炊き上がり時刻（予約時刻）の設定を行うことができる。この後、炊飯キー３７を押すと、予約時刻がマイクロコンピュータ２９の内蔵メモリに記憶され、予約インジケータ（ＬＥＤ）３８ａが点灯する。この際、予約設定の完了がブザー３１の鳴動によって報知される。マイクロコンピュータ２９は、予約時刻より炊飯に必要な時間だけ手前の時刻から炊飯を開始し、略予約時刻に飯が炊き上がるように制御する。なお、予約設定は２つの異なる時刻を設定することができ、表示部３２において、予約１と予約２のインジケータで区別される。
【００２５】
メニューキー３９は、炊飯メニューの設定に用いられる。このメニューキー３９を押すと、表示部３２の上辺で点灯するステータス表示が白米、早炊き、おかゆ、玄米と順番に変わり、点灯したメニューが選択される。メニューキー３９を押さなければデフォルトとして白米が設定される。
【００２６】
炊飯メニューを選択するためのメニューキー３９とは別に、パン発酵モード又はパン焼上げモードを選択するための発酵・焼上げキー４１が設けられ、このキーを押下するたびに、表示部３２の上辺で「パン発酵」又は「焼上げ」のステータス表示が交互に点灯し、点灯したモードが設定される。なお、上述のメニューキー３９による炊飯メニューの設定と発酵・焼上げキー４１によるパン発酵モード又はパン焼上げモードの設定は、排他的なものであり、いずれか１つのメニュー又はモードのみが選択され、そのステータス表示が点灯する。つまり、メニューキー３９及び発酵・焼上げキー４１が、炊飯モード又はパン焼上げモード（又はパン発酵モード）を選択する選択手段に相当する。図示の表示例では、パン焼上げモードが選択されて「パン焼上げ」のステータス表示が点灯している。
【００２７】
時・分キー４０は上述の炊飯時刻の予約設定と現在時刻の設定に用いられる。
時、分の各キーを押せば時刻表示部４５のうち、上２桁（時）又は下２桁（分）がインクリメントされる。また、時・分キー４０は、パン発酵モード及びパン焼上げモードにおける調理時間（加熱時間）の設定にも使用される。
【００２８】
取消キー４２は予約設定や保温等の取り消しに用いられる。保温キー４３は、飯の保温を開始させるために使用される。通常、炊飯行程が完了すれば自動的に保温行程が始まるが、取消キー４２で保温を解除した場合や電源プラグの脱着を行ったような場合に、保温キー４３を押下すれば再び保温が始まる。保温中は保温インジケータ（ＬＥＤ）４３ａが点灯する。
【００２９】
図４は、本発明の実施形態に係る電気炊飯器の炊飯制御の例を示すフローチャートである。また、図５は、本発明の実施形態に係る電気炊飯器の炊飯制御において内釜温度が変化する様子を例示するグラフである。内釜温度は、前述の温度センサー２０の検出信号に基づいてマイクロコンピュータ２９が検出する温度である。この炊飯制御は、白米の炊飯の場合の例である。前述のように操作部２７からメニューキー３９を用いて「白米」が設定され、炊飯キー３７で炊飯モードの実行が開始される（ステップ＃１０１）。
【００３０】
次のステップ＃１０２で初期温度チェックの処理が実行される。すなわち、炊飯制御では、開始直後の内釜温度（検出温度）が６０℃より高い場合は、加熱手段であるＩＨコイル１６等の通電を行わないで、内釜温度が６０℃以下になるのを待つ。
【００３１】
ステップ＃１０３の吸水工程（図５における４５）では、内釜温度を吸水温度（例えば５０℃）まで一気に上昇させるようにＩＨコイル１６が駆動され、その後、内釜温度を吸水温度に維持するようにＩＨコイル１６のオン・オフ制御が行われる。この間に米の吸水が促進される。
【００３２】
続くステップ＃１０４の昇温・沸騰工程（図５における４６及び４７）では、所定の電力でＩＨコイル１６が通電され、これによって内釜温度が急激に上昇する。この昇温工程４６の初期段階において、単位時間当たりの温度上昇（ΔＴ／Δｔ）が測定され、その測定結果に基づいて炊飯量（合数）の判定が行われる。
【００３３】
やがて、内釜１２内の水（湯）が沸騰し、米が沸騰湯の中で炊かれる（ボイルされる）沸騰工程４７に移行する。沸騰工程４７の間は水分が徐々に蒸発し、内釜温度は略１００℃に維持される。内釜１２内の湯が蒸発して無くなるに伴って、炊上げ工程に移行する。
【００３４】
ステップ＃１０５の炊上げ工程（図５における４８）では、内釜温度があらかじめ定めた炊上げ温度（例えば１３０℃）に達すると、ＩＨコイル１６への供給電力を下げ、むらし工程に移行する。
【００３５】
ステップ＃１０６のむらし工程（図５における４９）では、あらかじめ定めたむらし温度（１０７℃）に約１０分間維持される。これで飯が炊き上がり、炊飯制御は完了する。この後、自動的に保温工程に移行する。
【００３６】
ステップ＃１０７の保温工程（図５における５０及び５１）では、最初に自然冷却によって保温温度（例えば約７０℃）まで内釜温度が下がるのを待つ。この後、側面ヒータ１８及び上部ヒータ１９を所定のデューティファクタで通電制御しながら、ＩＨコイル１６のオン・オフ制御によって内釜温度を保温温度に維持する温度調節が実行される。
【００３７】
なお、保温工程において、初めは低温保温を行い、時間の経過に伴って保温温度を段階的に上げていく保温制御を行っても良い。例えば、冷却段階５０で６５℃付近まで内釜温度が下がるのを待ち、初めは約６５℃での低温保温を行い、数時間後に保温温度を約６８℃に上げて中温保温を行い、更に数時間後に保温温度を約７２℃に上げて高温保温を行う。こうすることにより、短時間の保温では飯の劣化を抑えながら、保温が長時間になったときには腐敗を抑制することができる。
【００３８】
また、上記の三段階保温において、低温保温から中温保温に移行する際、及び中温保温から高温保温に移行する際に、ごく短時間だけ一時的に内釜温度が１００℃以上になるようにＩＨコイル１６を制御してもよい。これにより、腐敗菌の繁殖を抑えることができる。
【００３９】
また、保温時間があらかじめ定めた時間（例えば２０時間）を超えると、腐敗の可能性をユーザに報知するために、ブザー３１を所定回数鳴動させる。
【００４０】
また、保温工程において、前述の内釜検出回路２８の検出信号が無くなったとき、マイクロコンピュータ２９が保温工程を終了して待機状態（操作部２７からの信号入力待ちの状態）に戻す。ユーザが取消キー４２を押さないで蓋部材１４を開けて内釜１２を取り出した場合にそのような状態になるので、取消キー４２が押された場合と同様に、保温工程を終了して待機状態に戻すのである。
【００４１】
図６は、本発明の実施形態に係る電気炊飯器のパン発酵モードにおける制御の例を示すフローチャートである。まず、ステップ＃２０１において、操作部２７から発酵・焼上げキー４１を用いてパン発酵モードを選択すると、標準の発酵時間（加熱時間）４０分が表示部３２（時刻表示部４５）にデフォルト表示される。
【００４２】
材料の量が標準量より多い場合又は少ない場合は、時・分キー４０を用いて、デフォルト表示された発酵時間を増減することができる。この場合、時・分キー４０のうちの一方（例えば時キー）を押せば発酵時間が長くなり、他方（例えば分キー）を押せば発酵時間が短くなる。この後、炊飯キー３７を押下すれば、表示された発酵時間が発酵タイマにセットされ、パン発酵モードの実行が開始される。
【００４３】
次のステップ＃２０２で初期温度チェックの処理が実行される。このパン発酵モードにおける初期温度チェックは、図４を用いて説明した炊飯制御における初期温度チェックと比べて、以下の点で異なっている。
【００４４】
図７は、炊飯制御における初期温度チェックとパン発酵モードにおける初期温度チェックとを比較して示すフローチャートである。図７（ａ）の炊飯制御における初期温度チェックでは、ステップ＃３０１で検出温度Ｔをチェックし、検出温度Ｔが６０℃（第１設定温度）より高い場合（ステップ＃３０２のＹｅｓ）は、加熱手段であるＩＨコイル１６等の通電をオフにして（ステップ＃３０３）、検出温度が６０℃以下になるのを待つ。
【００４５】
図７（ｂ）のパン発酵モードにおける初期温度チェックでは、ステップ＃３５１で検出温度Ｔをチェックし、検出温度Ｔが４５℃（第１設定温度６０℃より低い第２設定温度）より高い場合（ステップ＃３５２のＹｅｓ）は、加熱手段であるＩＨコイル１６等の通電をオフにする（ステップ＃３５３）。更に初回の場合（ステップ＃３５４のＹｅｓ）は、エラー報知を行う（ステップ＃３５５）。この後、検出温度が４５℃以下になるのを待つ。エラー報知は、ブザー３１を所定回数鳴動させることによって行う。また、一度エラー報知を行えば、フラグをセットし、次回からはステップ＃３５５をパスする。
【００４６】
パン発酵モードにおける初期温度チェックでの判定基準である第２設定温度（４５℃）が炊飯制御における初期温度チェックでの判定基準である第１設定温度（６０℃）より低い理由は以下の通りである。
【００４７】
炊飯制御では、初期水温が高すぎると（約６０℃を超えると）吸水工程で米の糊化現象が発生するために、それを防止する目的で初期温度チェックを行う。パン発酵モードでは、パン生地の温度を３５〜４０℃程度に維持することによってイースト菌が活性化してパン生地が膨らむ。初期温度が高すぎると（約４５℃を超えると）発酵しすぎになり、きめの粗いパンになったり、イースト菌が活性を失ったりするので、これを防ぐために初期温度チェックを行う。なお、第１設定温度の６０℃及び第２設定温度の４５℃はあくまで例示にすぎない。
【００４８】
また、パン発酵モードでは、第２設定温度（４５℃）より検出温度（内釜温度）が高い場合は、内釜内にパン生地を入れないようにユーザに報知する（ブザー３１によるエラー報知を行う）。但し、検出温度が第２設定温度（４５℃）より高い場合に、ＩＨコイル１６等の通電をオフにして内釜の冷却を待つ処理と、ブザー３１によるエラー報知を行う処理のいずれか一方のみを実行するようにしても良い。
【００４９】
また、ＩＨコイル１６等の通電をオフにして内釜１２の冷却を待つ間に、前述の電動ファン２３を作動させてもよい。この電動ファン２３は、主として制御基板２２ａ及び２２ｂを冷却するためのものであるが、内釜１２の冷却を早める効果も得られる。内釜１２の温度（検出温度）が第２設定温度以下になれば、内釜内にパン生地を入れてもよいことをブザー３１で報知するようにしてもよい。また、冷却時間をタイマによって設定するようにしてもよい。この場合は、タイマ（冷却時間）が終了すればパン発酵の実行に移行する。
【００５０】
図６のフローチャートに戻り、上記のような初期温度チェック処理が終了すると、次のステップ＃２０３で発酵タイマを開始する。続くステップ＃２０４で検出温度Ｔが発酵温度（例えば３７℃）より高いか否かをチェックする。検出温度Ｔが発酵温度以下である場合はステップ＃２０５でＩＨコイル１６をデューティファクタ５／１６でオンにすると共に、側面ヒータ１８をデューティファクタ４／１６でオンにする。ＩＨコイル１６の位相制御による出力は例えば７０％とする。検出温度Ｔが発酵温度より高い場合（ステップ＃２０４のＹｅｓ）は、ステップ＃２０６でＩＨコイル１６及び側面ヒータ１８を共にオフにする。いずれの場合も続くステップ＃２０７で上部ヒータ１９をデューティファクタ４／１６でオンにする。
【００５１】
次のステップ＃２０８で発酵タイマが終了したか否かをチェックし、終了するまでステップ＃２０４からステップ＃２０８までの処理を繰り返す。これにより、発酵タイマに設定された発酵時間だけ内釜温度が発酵温度に維持される。発酵タイマの終了に伴ってステップ＃２０９でパン発酵の終了を報知し、パン保温工程に移行する。
【００５２】
パン保温工程は、炊飯制御における保温工程と異なり、ＩＨコイル１６、側面ヒータ１８及び上部ヒータ１９はオフにされる。単に保温インジケータ４３ａを点滅させて、ユーザにパン焼き上げ工程の開始を促すだけである。
【００５３】
図８は、本発明の実施形態に係る電気炊飯器のパン焼き上げモードにおける制御の例を示すフローチャートである。まず、ステップ＃４０１において、操作部２７から発酵・焼上げキー４１を用いてパン焼上げモードを選択すると、標準の焼上げ時間（加熱時間）４０分が表示部３２（時刻表示部４５）にデフォルト表示される。
【００５４】
材料の量が標準量より多い場合又は少ない場合は、時・分キー４０を用いて、デフォルト表示された焼上げ時間を増減することができる。この場合、時・分キー４０のうちの一方（例えば時キー）を押せば焼上げ時間が長くなり、他方（例えば分キー）を押せば焼上げ時間が短くなる。この後、炊飯キー３７を押下すれば、表示された焼上げ時間が焼上げタイマにセットされ、パン焼上げモードの実行が開始される。
【００５５】
次のステップ＃４０２で焼上げタイマを開始する。続くステップ＃４０３で検出温度Ｔが焼上げ温度（例えば１２０℃）より高いか否かをチェックする。検出温度Ｔが焼上げ温度以下である場合はステップ＃４０４でＩＨコイル１６をデューティファクタ１０／１６でオンにすると共に、側面ヒータ１８をデューティファクタ６／１６でオンにする。ＩＨコイル１６の位相制御による出力は例えば８０％とする。検出温度Ｔが焼上げ温度より高い場合（ステップ＃４０３のＹｅｓ）は、ステップ＃４０５でＩＨコイル１６及び側面ヒータ１８を共にオフにする。いずれの場合も続くステップ＃４０６で上部ヒータ１９をデューティファクタ６／１６でオンにする。
【００５６】
次のステップ＃４０７で焼上げタイマが終了したか否かをチェックし、終了するまでステップ＃４０３からステップ＃４０７までの処理を繰り返す。これにより、焼上げタイマに設定された焼上げ時間だけ内釜温度が焼上げ温度に維持される。焼上げタイマの終了に伴ってステップ＃４０８でパン焼上げの終了を報知し、パン保温工程に移行する。
【００５７】
前述のように、パン保温工程は、炊飯制御における保温工程と異なり、保温インジケータ４３ａが点滅し、ＩＨコイル１６、側面ヒータ１８及び上部ヒータ１９はオフにされる。また、前述の内釜検出回路２８の検出信号が無くなったときの処理に関しても炊飯制御における保温工程とは以下のように異なっている。
【００５８】
つまり、炊飯制御における保温工程では内釜検出回路２８の検出信号が無くなった時点で保温工程が終了して待機状態に戻るが、パン保温工程では、内釜検出回路２８の検出信号が無くなっても無視する。これは、内釜１２を取り出して焼き具合を確認し、パンを裏返して追加加熱を行うような場合の便宜のためである。
【００５９】
このような焼き具合の確認や追加加熱はこの電気炊飯器でパンを焼き上げる場合に通常必要なことである。そこで、パン保温工程に内釜検出回路２８の検出信号が無くなっても、待機状態に戻さずに、追加加熱を少ないキー操作で行うことができるようにしている。また、追加加熱を行う場合は、内釜１２の検出温度（初期温度）が高温であってもすぐに加熱を開始する。つまり、炊飯制御やパン発酵モードの場合に実行する前述の初期温度チェックは追加加熱工程では実行しない。
【００６０】
図９は、本発明の実施形態に係る電気炊飯器のパン保温工程及び追加加熱工程における制御の例を示すフローチャートである。まず、ステップ＃５０１で所定時間（例えば２０分）が経過したか否かをチェックし、経過した場合はステップ＃５０２で内釜検出処理を行う。すなわち、内釜検出回路２８の検出信号が無くなった場合は、パン保温工程を終了して待機状態に戻る。上述のように、パン保温工程では内釜１２を取り出して焼き具合を確認し、パンを裏返して追加加熱を行う必要があるので、内釜検出処理を行わない。しかし、この例では無制限に内釜検出処理を行わないのではなく、所定時間が経過すれば内釜検出処理を行う。
【００６１】
但し、パン保温工程で内釜検出処理を行わない時間に制限を設けないようにしてもよい。あるいは、例えば炊飯制御での内釜検出処理を１０分間ごとに実行している場合に、内釜検出信号が無くなったことを１回目は無視して、２回連続したときに初めてパン保温工程を終了して待機状態に戻るようにしてもよい。この場合も実質的に２０分間は内釜検出処理を行わないことになる。
【００６２】
また、蓋部材１４の開閉状態を検出するセンサーを設け、その検出信号に基づいて蓋部材１４が開けられたことを検出してから所定時間（例えば２０分）経過後に、内釜検出処理を行うようにしてもよい。あるいは、温度センサー２０の検出温度が所定の温度より低くなってから内釜検出処理を行うようにしてもよい。
【００６３】
次のステップ＃５０３において、時・分キー４０が押下されたか否かがチェックされ、押下された場合はステップ＃５０７の処理に移行する。押下されなかった場合は、次のステップ＃５０４で保温インジケータ４３ａを点滅させ、ステップ＃５０５でＩＨコイル１６、側面ヒータ１８及び上部ヒータ１９をすべてオフにする。
【００６４】
続くステップ＃５０６で取消キー４２が押下されたか否かをチェックする。取消キー４２が押下された場合は、パン保温工程を終了して待機状態に移行する。取消キー４２が押下されなければ、ステップ＃５０１に戻ってパン保温工程の処理を繰り返す。
【００６５】
ステップ＃５０３で時・分キー４０が押下されたときは、ステップ＃５０７で追加加熱時間の設定が行われる。つまり、パン保温工程で保温インジケータ４３ａが点滅しているときに、内釜１２を取り出して焼き具合を確認し、パンを裏返した後、時・分キー４０を押下することにより追加加熱時間を設定する。そして、開始手段である炊飯キー３７を押下することにより追加加熱工程を開始することができる。
【００６６】
すなわち、次のステップ＃５０８で炊飯キー３７が押下されたか否かをチェックする。押下されていなければ上述のステップ＃５０５の処理に移行する。炊飯キー３７が押下された場合は、続くステップ＃５０９で追加加熱タイマを開始し、ステップ＃５１０で検出温度Ｔが焼上げ温度（例えば１２０℃）より高いか否かをチェックする。
【００６７】
検出温度Ｔが焼上げ温度以下である場合はステップ＃５１１でＩＨコイル１６をデューティファクタ１０／１６でオンにすると共に、側面ヒータ１８をデューティファクタ６／１６でオンにする。ＩＨコイル１６の位相制御による出力は例えば８０％とする。検出温度Ｔが焼上げ温度より高い場合（ステップ＃５１０のＹｅｓ）は、ステップ＃５１２でＩＨコイル１６及び側面ヒータ１８を共にオフにする。いずれの場合も続くステップ＃５１３で上部ヒータ１９をデューティファクタ６／１６でオンにする。
【００６８】
次のステップ＃５１４で追加加熱タイマが終了したか否かをチェックし、終了するまでステップ＃５１０からステップ＃５１４までの処理を繰り返す。これにより、追加加熱タイマに設定された追加加熱時間だけ内釜温度が焼上げ温度に維持される。追加加熱タイマの終了に伴ってステップ＃５１５で追加加熱の終了を報知し、パン保温工程に移行する。
【００６９】
以上、本発明の実施形態をいくつかの変形例と共に説明したが、本発明はこれらの実施形態及び変形例の他にも、種々の形態で実施することができる。
【００７０】
本発明は、誘導加熱方式の加熱手段（ＩＨコイル）を用いて炊飯制御を行う電気炊飯器（いわゆるＩＨジャー）に限らず、電熱ヒータを用いて炊飯制御を行う電気炊飯器（いわゆるマイコンジャー）にも適用することができる。
【００７１】
【発明の効果】
以上に説明したように、本発明によれば、パンの焼上げを簡易的に行うための適切な制御モード（パン焼上げモード）を備えた電気炊飯器を提供することができる。炊飯モードにおける保温工程では内釜検出回路の内釜検出信号が無くなったときに保温工程を終了して待機状態に戻す内釜検出処理を実行し、かつ、パン焼き上げモードにおける保温工程では上記の内釜検出処理を実行しない。これにより、パン保温工程で内釜を取り出して焼き具合を確認し、パンを裏返して追加加熱を行うことが簡単な操作で可能になる。
【００７２】
また、パン焼き上げモードの開始時は、初期温度チェック処理を実行しないで直ちに加熱手段の通電制御を行うので、パンの焼上げ工程が完了した直後の内釜が高温の状態であっても、追加加熱を連続して行うことができる。
【図面の簡単な説明】
【図１】本発明の実施形態に係る電気炊飯器の側面から見た断面図である。
【図２】制御基板を含む電気炊飯器の電気回路の構成を示すブロック図である。
【図３】電気炊飯器の操作パネルの構成例を示す図である。
【図４】本発明の実施形態に係る電気炊飯器の炊飯制御の例を示すフローチャートである。
【図５】本発明の実施形態に係る電気炊飯器の炊飯制御において内釜温度が変化する様子を例示するグラフである。
【図６】本発明の実施形態に係る電気炊飯器のパン発酵モードにおける制御の例を示すフローチャートである。
【図７】炊飯制御における初期温度チェックとパン発酵モードにおける初期温度チェックとを比較して示すフローチャートである。
【図８】本発明の実施形態に係る電気炊飯器のパン焼き上げモードにおける制御の例を示すフローチャートである。
【図９】本発明の実施形態に係る電気炊飯器のパン保温工程及び追加加熱工程における制御の例を示すフローチャートである。
【符号の説明】
１２  内釜
１６  ＩＨコイル（加熱手段）
１８  側面ヒータ
１９  上部ヒータ
２０  温度センサー
２７  操作部
２８  内釜検出回路
２９  マイクロコンピュータ（制御手段）
３７  炊飯キー（開始手段）
３９  メニューキー（選択手段）
４１  発酵・焼上げキー（選択手段）
【図１】
2004275478.tif 000003
【図２】
2004275478.tif 000004
【図３】
2004275478.tif 000005
【図４】
2004275478.tif 000006
【図５】
2004275478.tif 000007
【図６】
2004275478.tif 000008
【図７】
2004275478.tif 000009
【図８】
2004275478.tif 000010
【図９】
2004275478.tif 000011